(57)【特許請求の範囲】
【請求項１】
ポリカーボネート樹脂製の外筒内に内筒を配し、外筒の軸方向外側においてリード線と接続した可溶体を内筒内に密閉状態で収納し、外筒の両端部をキャップで密閉するとともに、キャップ外側面からリード線に亘る部分に樹脂モールドを施し、樹脂モールドの外側を電気絶縁性カバーで覆ってなる低圧地中引込用ヒューズにおいて、外筒を耐薬品性の良好な電気絶縁性被覆で覆うとともに樹脂モールドの外周部を覆う電気絶縁性カバーを耐薬品性の良好な塩化ビニル製成形品とし、樹脂モールドの外周部から電気絶縁性被覆の両端部に亘って被覆し、樹脂モールドの外部露出端面を耐薬品性の良好な電気絶縁性封止剤で被覆してなる低圧地中引込用ヒューズ。
【請求項２】
外筒を覆う電気絶縁性被覆が透明硬質塩化ビニル製の筒体からなり、外筒からキャップの外周面に亘って被覆しており、電気絶縁性カバーが樹脂モールドの外周部から電気絶縁性被覆の両端部に亘って被覆されている請求項1記載の低圧地中引込用ヒューズ。
【請求項３】
電気絶縁性被覆とキャップ間において樹脂モールドの漏れを防止する弾力性パッキンを配し、半硬質又は硬質の電気絶縁性カバーを電気絶縁性被覆の両端部に嵌合、固着してなる請求項２記載の低圧地中引込用ヒューズ。
【請求項４】
外筒を覆う電気絶縁性被覆が透明ポリエステルテープを巻き付けた被覆で構成され、外筒からキャップの外周面に亘って覆っており、電気絶縁性カバーが樹脂モールドの外周部から絶縁性被覆の両端部に亘って被覆されている請求項1記載の低圧地中引込用ヒューズ。
【請求項５】
外筒を覆う電気絶縁性被覆が透明ポリエステルテープを巻き付けた被覆と外筒とキャップの境界部分を覆う樹脂モールドで構成され、電気絶縁性カバーがリード線接続部分の樹脂モールドの外周部から前記境界部分を覆う樹脂モールドの外周面に亘って被覆されている請求項１記載の低圧地中引込用ヒューズ。
【請求項６】
樹脂モールドの外部露出端面を被覆する電気絶縁性封止剤がシリコン樹脂である請求項１、２、３、４又は５記載の低圧地中引込用ヒューズ。
【発明の詳細な説明】
【技術分野】
【０００１】
この発明は、地中配電線路に使用される低圧地中引込用ヒューズに関するもので、特にその耐薬品性、さらに詳しくは耐アルカリ性の改良に関するものである。
【背景技術】
【０００２】
地中配電線路に使用される低圧地中引込用ヒューズは、コンクリート製のマンホールあるいは桝内に設置される。コンクリートはセメントの水和反応によって生成され、含有する水酸化カルシウム等により、初期はｐH１２以上の強アルカリ性を呈するが、時間の経過と共にセメントが硬化し、空気中の炭酸ガスと反応して表面から中性化する。マンホールや桝を設置する際、設置機器のレベルを調整するため現場でさらにコンクリートを打設することもある。このような場合、セメントが硬化する前に雨水がマンホールや桝内に流れ込んだり、セメント粉の飛散流入があると、内部に設置された低圧地中引込用ヒューズが強アルカリ水と接触したり、強アルカリ水に水没することとなる。また、アルカリ性土質の現場においては、地下水や雨水の流入により、マンホールや桝内が強アルカリ性を呈することも考えられる。
【０００３】
低圧地中引込用ヒューズの水密性を改良する工夫は以前からもなされている。図５ないし図７はこれまでに使用されてきた低圧地中引込用ヒューズの一例を示すもので、ポリカーボネート樹脂製の外筒１内に内筒を配し、外筒１の軸方向外側においてリード線２と接続した可溶体を内筒内に収納し、外筒１の両端部をキャップ３で密閉するとともに、キャップ外側面からリード線に亘る部分に樹脂モールド４を施し、モールド外被１０の外側を軟質塩化ビニル製の電気絶縁性カバー１１で被覆しており、樹脂モールド４と電気絶縁性カバー１１によって水密性を高めている。樹脂モールドと電気絶縁性カバーによって水密性を高めることは特許文献１においても開示されている通りである。
【特許文献１】実公平４-２４５８９
【発明の開示】
【発明が解決しようとする課題】
【０００４】
ところで、低圧地中引込用ヒューズにおける外筒には、耐衝撃性・耐熱性・透明度の高さといった利点を有する点からポリカーボネート樹脂が使用されている。また、キャップもポリカーボネート樹脂が使用され、外筒とキャップとは超音波溶着１２又はねじ込みによって水密性を保って固定されている。しかし、ポリカーボネート樹脂の薬品耐久性は酸性液には比較的強いが、アルカリ性液、溶剤には弱いため化学劣化し易い性質がある。また、外筒とキャップを超音波溶着又はねじ込みによって固定する際に生じた残留応力が大きい場合、溶着部又はねじ込み部は化学劣化の影響を受け易くなる。コンクリート製のマンホールや桝内において強アルカリ水に接触したり、水没すると外筒やキャップにひび割れが生じ、強アルカリ水が内部に浸入してヒューズを損傷するおそれがあった。
また、樹脂モールドとしてはポリウレタン樹脂が用いられていたが、強アルカリ水に長時間曝される場合、より一層の耐アルカリ性対策が望まれていた。
【０００５】
そこで、本発明の目的とするところは、耐アルカリ性に優れており、たとえマンホールや桝内おいて強アルカリ水に長時間曝された場合においても、外筒やキャップにひび割れを生じることなく、水密性を維持して、本来のヒューズ機能を長期間に亘って発揮し得る低圧地中引込用ヒューズを提供するところにある。
【課題を解決するための手段】
【０００６】
上記目的を達成するため、本発明の低圧地中引込用ヒューズは従来とほぼ同様な構成に係る低圧地中引込用ヒューズの外側全体に耐薬品性の良好な被覆を施したことを特徴とするものである。
すなわち、本発明に係る低圧地中引込用ヒューズは、ポリカーボネート樹脂製の外筒内に内筒を配し、外筒の軸方向外側においてリード線と接続した可溶体を内筒内に密閉状態で収納し、外筒の両端部をキャップで密閉するとともに、キャップ外側面からリード線に亘る部分に樹脂モールドを施し、樹脂モールドの外側を電気絶縁性カバーで覆ってなる低圧地中引込用ヒューズにおいて、外筒を耐薬品性の良好な電気絶縁性被覆で覆うとともに樹脂モールドの外周部を覆う電気絶縁性カバーを耐薬品性の良好な塩化ビニル製成形品とし、樹脂モールドの外周部から電気絶縁性被覆の両端部に亘って被覆し、樹脂モールドの外部露出端面を耐薬品性の良好な電気絶縁性封止剤で被覆したことを特徴とするものである。  
【０００７】
外筒を被覆する耐薬品性の良好な電気絶縁性被覆としては、可溶体の動作状況を外部から目視できる透明硬質塩化ビニル製の筒体または透明ポリエステルテープを巻き付けた被覆が望ましい。なお、残留応力が小さくアルカリ性液の影響を受けがたい場合は、ポリカーボネート樹脂製の電気絶縁性被覆でもよい。
樹脂モールドの外周部から電気絶縁性被覆の両端部に亘って被覆する電気絶縁性カバーとしては変形し難く、樹脂モールドを充填する型枠としても使用可能な半硬質又は硬質の塩化ビニル製成形品が望ましい。
【０００８】
外筒を覆う電気絶縁性被覆を透明硬質塩化ビニル製の筒体とした場合、外筒からキャップの外周面に亘って覆う構成とし、電気絶縁性カバーを樹脂モールドの外周部から電気絶縁性被覆の両端部に亘って被覆する。具体的には電気絶縁性カバーを電気絶縁性被覆の両端部  に嵌合し、塩化ビニル用接着剤で固着して被覆するものとする。
【０００９】
樹脂モールドは初期において流動性があり、時間の経過と共に硬化し固化するため、電気絶縁性被覆とキャップ間を通って樹脂モールドが外筒表面上に漏れ出ないように電気絶縁性被覆とキャップ間において樹脂モールドの漏れを防止するシリコン樹脂などの弾力性パッキンを配した構造が望ましい。
【００１０】
また、外筒を覆う電気絶縁性被覆を透明ポリエステルテープを巻き付けた被覆とした場合、外筒からキャップの外周面に亘って覆う構成とし、電気絶縁性カバーを樹脂モールドの外周部から絶縁性被覆の両端部に亘って被覆する。また、外筒を覆う絶縁性被覆を透明ポリエステルテープを巻き付けた被覆と、外筒とキャップの境界部分を覆う樹脂モールドで構成しても良く、電気絶縁性カバーをリード線接続部分の樹脂モールドの外周部から前記境界部分を覆う樹脂モールドの外周面、すなわち電気絶縁性被覆の両端部に亘って被覆するものとする。              この場合も、電気絶縁性カバーは電気絶縁性被覆の両端部に対し塩化ビニル用接着剤で固着するものとする。
【００１１】
また、リード線の接続部に施される樹脂モールド及び外筒とキャップの境界部分を覆う樹脂モールドの外部露出端面を被覆する電気絶縁性封止剤としては耐薬品性・伸縮性の良好なシリコン樹脂が望ましい。
【発明の効果】
【００１２】
上述の通り、本発明にかかる低圧地中引込用ヒューズは、外筒を耐薬品性の良好な電気絶縁性被覆で被覆するとともに、樹脂モールドの外周部から電気絶縁性被覆の両端部に亘って塩化ビニル製成形品の電気絶縁性カバーで被覆しているので、強アルカリ水に対して耐性を有しており、耐衝撃性・耐熱性・透明度が高いが故にその使用が望まれるポリカーボネート樹脂をそのまま外筒及びキャップに用いることができ、また、樹脂モールドの外端面も耐薬品性の良好な電気絶縁封止剤で被覆しているので、強アルカリ水に対する耐久性が向上し、ヒューズ全体が強アルカリ水に水没するような場合があるとしても水密性が長期間に亘って損なわれず、経年劣化が少ないものである。したがって、コンクリート製のマンホールや桝内に設置される低圧地中引込用ヒューズの長寿命化を達成し得たのである。
【００１３】
なお、樹脂モールドの外周部を半硬質又は硬質の塩化ビニル製成形品からなる電気絶縁性カバーで被覆する構成であるから、樹脂モールドを施す際にも、この電気絶縁性カバーをモールド用の型枠として使用することが可能であり、軟質塩化ビニル製の電気絶縁性カバーを使用していた従来の低圧地中引込用ヒューズのように、樹脂モールドを施すために筒状のモールド外被をキャップ外側面に設ける必要性はなく、部品点数を減らすことも可能である。
【発明を実施するための最良の形態】
【００１４】
以下本発明に係る低圧地中引込用ヒューズの実施態様について説明する。
図１は本発明に係る低圧地中引込用ヒューズの一実施例を示す外観正面図、図２は縦断面図である。ヒューズ本体の構成は従来のヒューズとほぼ同様であり、透明ポリカーボネート樹脂製の外筒１内に透明で電気-絶縁性の内筒（図示せず）を配し、外筒１の軸方向外側においてリード線２と接続した可溶体を内筒内に密閉状態で収納し、外筒１の両端部をポリカーボネート樹脂製のキャップ３で密閉するとともに、キャップ３の外側面からリード線２に亘る部分に樹脂モールド４を施している。可溶体とリード線は圧縮スリーブ５を介して接続されている。
【００１５】
６は、外筒１からキャップ３の外周面に亘って被覆した耐薬品性の良好な電気絶縁性被覆で、この例では透明硬質塩化ビニル製の筒体で構成している。この筒体は図３に示す通り、外筒１の外周を覆う筒状部６ａとキャップ３の外周を覆うやや大径の筒状部６ｂからなるものである。７は、樹脂モールド４の外周部から電気絶縁性被覆６の筒状部６ｂの外周部、すなわち、電気絶縁性被覆６の両端部に亘って被覆した電気絶縁性カバーで、耐薬品性の良好な半硬質又は硬質の塩化ビニル製成形品であり、電気絶縁性被覆６の両端部に嵌合し、塩化ビニル用接着剤で固着されている。
【００１６】
樹脂モールド４はポリウレタン樹脂で、外筒１及びキャップ３の外周部に電気絶縁性被覆６としての透明硬質塩化ビニル製の筒体を被せた上、キャップ３の軸方向外周面から筒体の端部内周面に亘る部分に一旦樹脂モールドを施した後、電気絶縁性カバー７を電気絶縁性被覆６の両端部に嵌合して塩化ビニル用接着剤で固着し、この電気絶縁性カバー７をモールド時の型枠として利用しながら残部の樹脂モールドを施すようにしている。
【００１７】
電気絶縁性被覆６の筒状部６ｂ内面には樹脂モールドと強固な接着が得られるようにプライマーを塗布しておくと良い。樹脂モールド４の外部露出端面はアルカリ水との接触を避けるためシリコン樹脂のような耐薬品性の良好な電気絶縁性封止剤８を被覆している。なお、電気絶縁性被覆６とキャップ３間を通って樹脂モールドが外筒１の表面に漏れ出ないように、外筒１とキャップ３の境界部分、本例においては電気絶縁性被覆６の筒状部６ｂの内端壁とキャップ３の内端面との間に挟持して、樹脂モールドの漏れを防止するシリコン樹脂製の弾力性パッキン９を配している。
【００１８】
図４は、本発明に係る低圧地中引込用ヒューズの他実施例を示す概略正面図で、上記実施例と異なる点は、外筒１の外周面を覆う電気絶縁性被覆６として透明ポリエステルテープを巻き付けた被覆と、外筒１とキャップ３の境界部分を覆う樹脂モールド４で構成した点である。すなわち、外筒１の外周面に耐薬品性の良好な透明ポリエステルテープを巻きつけ、また、外筒１とキャップ３の境界部分は樹脂モールド４で覆うことにより、アルカリ水との接触による劣化を防止するようにしたものである。
【００１９】
電気絶縁性カバー７は、リード線接続部分の樹脂モールド４の外周部から前記境界部分を覆う樹脂モールド４の外周面、すなわち電気絶縁性被覆６の両端部に亘って被覆するようにしている。そして樹脂モールドとアルカリ水との接触を防ぐために樹脂モールド４の外部露出端面を密封するシリコン樹脂のような耐薬品性の良好な電気絶縁性封止剤８は、前記実施例と同様にリード線接続部分の樹脂モールド４の外部露出端面に設けるほか、上記外筒１とキャップ３の境界部分に施した樹脂モールド４の外部露出端にも設けている。
【００２０】
なお、透明ポリエステルテープの巻き終わり部分はシリコン樹脂で封止しておくことが望ましい。また、透明ポリエステルテープの巻きつけを外筒１の外周部のみならず、キャップ３の外周部にまで及ぼして外筒からキャップの外周面を覆う電気絶縁性被覆６とした場合、上記外筒１とキャップ３の境界部分に施す樹脂モールドは省略しても良い。この場合、電気絶縁性カバー７の内端部はキャップ外周部を覆う電気絶縁性被覆６の両端部を覆う位置に達していれば良い。
【図面の簡単な説明】
【００２１】
【図１】本発明に係る低圧地中引込用ヒューズの一実施例を示す外観正面図
【図２】同縦断面図
【図３】電気絶縁性被覆として使用した透明硬質塩化ビニル製筒体の断面図
【図４】本発明に係る低圧地中引込用ヒューズの他実施例を示す概略正面図
【図５】従来の低圧地中引込用ヒューズの一例を示す外観正面図
【図６】同縦断面図
【図７】樹脂モールド部分の外側を覆う電気絶縁性カバーを取り外した状態における同縦断面図
【符号の説明】
【００２２】
１…  外筒
２…  リード線
３…  キャップ
４…  樹脂モールド
６…  電気絶縁性被覆
７…  電気絶縁性カバー
８…  電気絶縁性封止剤
【図１】
0004444886.tif 000002
【図２】
0004444886.tif 000003
【図３】
0004444886.tif 000004
【図４】
0004444886.tif 000005
【図５】
0004444886.tif 000006
【図６】
0004444886.tif 000007
【図７】
0004444886.tif 000008